(57)【要約】照明器具の点灯と消灯との切り換え操作を行うための操作部（１２），（１３）と、前記操作部の位置を視認させる位置表示灯（２１），（２２）と、前記位置表示灯の点灯及び消灯を制御する制御部（５０）と、操作者の接近を検出する検出部（２４），（２６），（２７），（２８）とを有し、前記制御部は、前記検出部が操作者の接近を検出した場合に、前記位置表示灯を点灯する照明スイッチ装置。
2016084172.tif 000002
【特許請求の範囲】
【請求項１】
照明器具の点灯と消灯との切り換え操作を行うための操作部と、
前記操作部の位置を視認させる位置表示灯と、
前記位置表示灯の点灯及び消灯を制御する制御部と、
操作者の接近を検出する検出部とを有し、
前記制御部は、前記検出部が操作者の接近を検出した場合に、前記位置表示灯を点灯する照明スイッチ装置。
【請求項２】
前記検出部は人感センサである請求項１に記載の照明スイッチ装置。
【請求項３】
前記検出部は静電センサである請求項１に記載の照明スイッチ装置。
【請求項４】
前記静電センサは、前記操作部に設けられている請求項３に記載の照明スイッチ装置。
【請求項５】
前記操作部を囲む枠部を有し、
前記静電センサは、前記枠部に設けられている請求項３又は請求項４に記載の照明スイッチ装置。
【請求項６】
前記操作部を振動させる振動発生部を有し、
前記制御部は、前記検出部が操作者の接近を検出した場合に、前記振動発生部を振動させる請求項１から請求項５のいずれか１項に記載の照明スイッチ装置。
【請求項７】
前記制御部は、前記照明器具が消灯の状態の場合、前記検出部が操作者の接近を検出した検出信号により前記位置表示灯を点灯する請求項１から請求項６のいずれか１項に記載の照明スイッチ装置。
【請求項８】
前記制御部は、前記照明器具が点灯の状態の場合、前記位置表示灯の消灯状態を維持する請求項１から請求項６のいずれか１項に記載の照明スイッチ装置。
【請求項９】
前記制御部は、前記位置表示灯を点灯した後、所定の時間が経過した後に前記位置表示灯を消灯する請求項１から請求項８のいずれか１項に記載の照明スイッチ装置。
【請求項１０】
照明スイッチ装置の周囲の照度を検出する照度センサを有し、
前記制御部は、前記照度センサからの検出信号に基づいて、照度が所定の値以上の場合に、前記位置表示灯の消灯の状態を維持し、照度が所定の値より小さい場合に、前記位置表示灯の制御を実行する請求項１から請求項６のいずれか１項に記載の照明スイッチ装置。
【発明の詳細な説明】
【技術分野】
【０００１】
本発明は、位置表示灯を有する照明スイッチ装置に関する。
【背景技術】
【０００２】
下記特許文献１は、照明装置の点灯、消灯の操作を行うハンドル部（操作部）と、ハンドル部（操作部）の位置を光により表示する位置表示部と、室内の照度を検出する照度検出部とを有する照明点灯装置（照明スイッチ装置）が記載されている。照度検出部からの室内照度の情報に基づいて、所望の明るさになるように照明装置の調光出力が制御される。また、スイッチの位置を表示する位置表示灯についても、照度検出部が検出する照度の情報により調光され、室内の照度が高いときは明るく表示され、照度が低いときは暗く表示される。
【先行技術文献】
【特許文献】
【０００３】
【特許文献１】特開平９−６９３９１号公報
【発明の概要】
【発明が解決しようとする課題】
【０００４】
しかしながら、位置表示灯は、照明点灯装置の操作を行っていない場合にも常時点灯しているため、消費電力が増大する。また、位置表示灯は夜間にも点灯するため、寝室に設置された照明点灯装置の場合には、位置表示灯の光により眠りが妨げられる可能性がある。位置表示灯を設けない場合には、夜間等に操作者が照明点灯装置を視認することができず、ハンドル部（操作部）の操作が困難になる可能性がある。【０００５】
本発明は、上記課題を解決して、操作部の操作を行わない場合には位置表示灯が消灯し、操作部の操作を行う際に位置表示灯が点灯する照明スイッチ装置を提供することを目的とする。
【課題を解決するための手段】
【０００６】
本発明の一態様による照明スイッチ装置は、照明器具の点灯と消灯との切り換え操作を行うための操作部と、前記操作部の位置を視認させる位置表示灯と、前記位置表示灯の点灯及び消灯を制御する制御部と、操作者の接近を検出する検出部とを有し、前記制御部は、前記検出部が操作者の接近を検出した場合に、前記位置表示灯を点灯する。【０００７】
これによれば、検出部が操作者の接近を検出した場合に位置表示灯が点灯するため、操作者は、位置表示灯の光によって、操作部の位置を視認することができる。また、操作者が操作部を操作するために照明スイッチ装置に近づいたときに位置表示灯が点灯し、操作者が照明スイッチ装置の操作を行っていない場合には、位置表示灯は消灯する。したがって、本発明の一態様による照明スイッチ装置は、位置表示灯の消費電力が低減する。また、夜間においても、位置表示灯は、操作者が操作部の操作を行う際に点灯し、それ以外の期間は消灯する。したがって、本発明の一態様による照明スイッチ装置は、位置表示灯の光が就寝時の眠りの妨げとなることを防止できる。【０００８】
本発明の望ましい態様として、前記検出部は人感センサである。これによれば、人感センサが操作者の照明スイッチ装置への接近を検出し、操作者が操作部の操作を行う際に位置表示灯が点灯する。【０００９】
本発明の望ましい態様として、前記検出部は静電センサである。これによれば、操作者の手や指の照明スイッチ装置への接触又は接近を静電センサが検出して、操作者が照明スイッチの操作を行う際に位置表示灯が点灯する。【００１０】
本発明の望ましい態様として、前記静電センサは、前記操作部に設けられている。これによれば、操作者の手や指が操作部に接触又は接近することを静電センサが検出するため、誤検出が抑制され、操作者が操作部を操作する際に確実に位置表示灯が点灯する。【００１１】
本発明の望ましい態様として、前記操作部を囲む枠部を有し、前記静電センサは、前記枠部に設けられている。これによれば、操作者の手や指が枠部に接触又は接近することを静電センサが検出するため、静電センサによる検出範囲が拡大する。【００１２】
本発明の望ましい態様として、前記操作部を振動させる振動発生部を有し、前記制御部は、前記検出部が操作者の接近を検出した場合に、前記振動発生部を振動させる。これによれば、振動発生部が振動することにより、操作者は、触覚により操作部の位置を認識することができる。【００１３】
本発明の望ましい態様として、前記制御部は、前記照明器具が消灯の状態の場合、前記検出部が操作者の接近を検出した検出信号により前記位置表示灯を点灯する。これによれば、照明器具が消灯の状態であり照明スイッチ装置の周囲が暗い場合に、操作者は、確実に位置表示灯を視認して操作部の位置を認識できる。【００１４】
本発明の望ましい態様として、前記制御部は、前記照明器具が点灯の状態の場合、前記位置表示灯の消灯状態を維持する。これによれば、位置表示灯の消費電力が低減する。【００１５】
本発明の望ましい態様として、前記制御部は、前記位置表示灯を点灯した後、所定の時間が経過した後に前記位置表示灯を消灯する。これによれば、操作者が接近して位置表示灯が点灯した後、所定の時間位置表示灯が点灯するため、操作者は確実に操作部の操作を行うことができる。また、所定の時間の経過後位置表示灯が消灯するため、消費電力を削減することができる。【００１６】
本発明の望ましい態様として、さらに、照明スイッチ装置の周囲の照度を検出する照度センサを有し、前記制御部は、前記照度センサからの検出信号に基づいて、照度が所定の値以上の場合に、前記位置表示灯の消灯の状態を維持し、照度が所定の値より小さい場合に、前記位置表示灯の制御を実行する。これによれば、照明スイッチ装置の周囲の照度が明るく、操作者が照明スイッチ装置を視認できる場合には位置表示灯が消灯するため、消費電力が削減される。
【発明の効果】
【００１７】
本発明の照明スイッチ装置によれば、操作部の操作をしない場合には位置表示灯が消灯し、操作部の操作を行う際に位置表示灯が点灯する照明スイッチ装置を提供することを目的とする。
【図面の簡単な説明】
【００１８】
【図１】図１は、第１の実施形態に係る照明スイッチ装置の正面図である。
【図２】図２は、第１の実施形態に係る照明スイッチ装置の側面図である。
【図３】図３は、図１に示すＩＩＩ−ＩＩＩ線で切断したときの照明スイッチ装置の断面構造を模式的に示す断面図である。
【図４】図４は、第１の実施形態に係る照明スイッチ装置の機能構成を示すブロック図である。
【図５】図５は、変形例の照明スイッチ装置の正面図である。
【図６】図６は、第２の実施形態に係る照明スイッチ装置の正面図である。
【図７】図７は、第２の実施形態に係る照明スイッチ装置の側面図である。
【図８】図８は、図６に示すＶＩＩ−ＶＩＩ線で切断したときの照明スイッチ装置の断面構造を模式的に示す断面図である。
【図９】図９は、第２の実施形態に係る照明スイッチ装置の機能構成を示すブロック図である。
【図１０】図１０は、第１の実施形態の照明スイッチ装置の制御方法を説明するフローチャートである。
【発明を実施するための形態】
【００１９】
以下、本発明に係る照明スイッチ装置の実施形態について、図面を参照して詳細に説明する。なお、以下の実施形態によりこの発明が限定されるものではない。また、この実施形態の構成要素には、発明の同一性を維持しつつ置換可能かつ置換自明なものが含まれる。また、この実施形態に記載された方法、装置及び変形例は、当業者自明の範囲内にて任意に組み合わせが可能である。
【００２０】
＜第１の実施形態＞
図１は、第１の実施形態に係る照明スイッチ装置の正面図である。図２は、第１の実施形態に係る照明スイッチ装置の側面図である。図３は、図１に示すＩＩＩ−ＩＩＩ線で切断したときの照明スイッチ装置の断面構造を模式的に示す断面図である。図１に示すように、照明スイッチ装置１０は、照明器具の点灯と消灯との切り換え操作を行うための第１操作部１２及び第２操作部１３と、第１操作部１２及び第２操作部１３を囲む枠部１５を有する。また、照明スイッチ装置１０は、第１操作部１２及び第２操作部１３の位置をそれぞれ視認させる位置表示灯２１、２２と、第１操作部１２及び第２操作部１３の位置を振動により認識させる振動発生部２９、３０とを有する。また、上部に位置する第１操作部１２は、操作者の接近を検出する検出部として人感センサ２４を有する。
【００２１】
図２及び図３に示すように、枠部１５の裏面と、枠状又は箱状の筐体１６とが固定され、筐体１６が壁１００の内部に固定される。これにより、第１操作部１２及び第２操作部１３と枠部１５とが壁１００の表面に取り付けられる。
【００２２】
図３に示すように、筐体１６の内部に基板１８が固定されており、基板１８は、第１操作部１２の裏面側に間隔を設けて配置される。基板１８は、例えば、第１操作部１２への入力操作を検出する第１入力部３２と、操作者の接近を検出する人感センサ２４と、照明スイッチ装置１０の制御を行う制御部５０とを有する。また、図３では省略して示すが、基板１８は、第２操作部１３への入力操作を検出する第２入力部３３と、位置表示灯２１、２２とを備える。
【００２３】
第１操作部１２及び第２操作部１３は、それぞれ異なる照明器具について点灯と消灯との切り換え操作を行うために設けられている。本実施形態において、第１操作部１２及び第２操作部１３は樹脂成形により形成されたものを用いることができる。第１操作部１２及び第２操作部１３は、正面から見たときに矩形状であり、板状の部材である。図３に示すように、第１操作部１２は、外周の１辺から外方に延びる取付部１２ａを備える。取付部１２ａが筐体１６に接続されて、第１操作部１２が筐体１６に取り付けられる。第１操作部１２は、取付部１２ａを介して筐体１６に支持されるため、操作者がプッシュ操作を行うと、取付部１２ａを支点として基板１８に設けられた第１入力部３２に向かって変形する。なお、第２の操作部１３についても同様の構造で筐体１６に取り付けられる。本実施形態の照明スイッチ装置１０は、２つの第１操作部１２及び第２操作部１３を有しているが、これに限定されるものではなく、１つ又は３つ以上の操作部を有していてもよい。
【００２４】
図３に示すように、本実施形態の照明スイッチ装置１０は、第１操作部１２の裏面側に第１入力部３２を有する。なお、図３には図示しないが、第２操作部１３に対応して第２入力部３３が設けられている。第１入力部３２は、例えばプッシュスイッチ等を用いることができ、操作者が第１操作部１２を押圧することで、第１操作部１２を介してプッシュスイッチの受圧部が押し込まれ、内蔵する接点のオンとオフとが切り替わる。その後、第１操作部１２が操作者によって押されなくなると、受圧部がばね力により元の位置に復帰し、第１操作部１２は初めの位置に戻る。第１入力部３２が第１操作部１２の操作を検出することにより、例えば、室内の照明器具等の点灯、消灯が切り換えられる。
【００２５】
位置表示灯２１、２２は、例えば発光ダイオード（ＬＥＤ）が用いられる。発光ダイオードは、例えばＲＧＢフルカラー発光が可能なものを用いることができる。又は、位置表示灯２１、２２は、緑色（Ｇ）や赤色（Ｒ）等、単色発光が可能なものであってもよい。位置表示灯２１、２２は、基板１８に実装されており、それぞれ第１操作部１２及び第２操作部１３の裏面側に配置される。操作者が位置表示灯２１、２２の光を視認することができるように、第１操作部１２及び第２操作部１３の一部は、透明部材が用いられる。また、位置表示灯２１、２２の光が周囲に漏れることを防止するために、基板１８は遮光部を備えており、位置表示灯２１、２２はそれぞれ遮光部に囲まれて設置される。なお、位置表示灯２１、２２の数や配置は特に限定されるものではなく、適宜変更することが可能である。また、位置表示灯２１、２２は、発光ダイオード（ＬＥＤ）に限定されるものではなく、光を出射して、操作者が光を視認可能な素子を用いることができる。
【００２６】
振動発生部２９、３０は、例えば偏心モータを用いることができる。偏心モータは、偏心した異形の重りをモータの軸に取り付けて、モータを回転させることで振動を発生させる。図１に示すように、振動発生部２９、３０は、それぞれ第１操作部１２及び第２操作部１３の裏側に設けられており、第１操作部１２及び第２操作部１３に直接振動を与えることができる。操作者が第１操作部１２及び第２操作部１３の位置を視認できない場合であっても、振動発生部２９、３０の振動により、第１操作部１２及び第２操作部１３の位置を触覚で認識することができる。
【００２７】
なお、振動発生部２９、３０の取り付け位置は特に限定されない。例えば、筐体１６に設置して、筐体１６を介して枠部１５、第１操作部１２及び第２操作部１３に振動を伝えることができる。また、振動発生部２９、３０は、偏心モータに限定されるものではなく、振動を発生させることが可能な素子であってもよい。例えば、振動発生部２９、３０として、電磁力によりコイルを上下振動させて振動を発生させるリニア振動アクチュエータや、印加される電界により形状が機械的に変形することで振動を発生させる圧電素子等が用いられる。振動発生部２９、３０は、振動によりブザー音等の音を発生させるものであってもよい。この場合、操作者は、第１操作部１２及び第２操作部１３の位置を聴覚で認識することができる。
【００２８】
図３に示すように、第１操作部１２の裏面側に操作者の接近を検出する人感センサ２４を有する。本実施形態において、人感センサ２４は、人が発生する赤外線を検出する赤外線センサである。この場合、第１操作部１２の人感センサ２４と対向する部分は、赤外線を透過する材料が用いられる。これにより、操作者が第１操作部１２又は第２操作部１３を操作する際に、人感センサ２４は、操作者の接近を検出することができる。なお、図２に示すように、人感センサ２４の検出範囲２４ａは、第１操作部１２の表面から放射状に拡がっており、第１操作部１２の表面から約５０ｃｍ程度の範囲内である。なお、図２に示すように、人感センサ２４は、筐体１６に人感センサ２４の感度を調整するための感度調整部１７を有する。感度調整部１７は、例えば回転可能に取り付けられている。操作者は、感度調整部１７を回転させることで、簡便に人感センサ２４の感度を調整することができ、検出範囲２４ａを変更することができる。
【００２９】
なお、人感センサ２４は、赤外線センサに限定されず、超音波センサや光電センサであってもよい。超音波センサは、超音波を出射して、操作者から反射する超音波を検出することにより操作者の接近を検出する。また、光電センサは、可視光を出射して、操作者から反射する可視光を検出することにより、操作者の接近を検出する。若しくは、人感センサ２４は、これらの各種センサを組み合わせて用いることも可能である。
【００３０】
本実施形態の照明スイッチ装置１０は、人感センサ２４が操作者の接近を検出した場合に、位置表示灯２１、２２が点灯する。図１に示すように、位置表示灯２１は第１操作部１２と重なる位置に設けられており、位置表示灯２１は第２操作部１３と重なる位置に設けられている。したがって、操作者は、位置表示灯２１、２２の光を視認して第１操作部１２及び第２操作部１３の位置を認識することができる。これにより、夜間等、室内が暗く照明スイッチ装置１０の位置を確認しにくい場合であっても、操作者は、位置表示灯２１、２２の光により、操作する第１操作部１２及び第２操作部１３の位置を視認することができる。
【００３１】
また、位置表示灯２１、２２の位置は、第１操作部１２及び第２操作部１３と重なる位置に限定されるものではなく、操作者が位置表示灯２１、２２の光を視認して第１操作部１２及び第２操作部１３の位置を認識できればよい。例えば、位置表示灯２１、２２を枠部１５、若しくは枠部１５の外側の壁に取り付けてもよい。位置表示灯２１、２２は、第１操作部１２及び第２操作部１３を囲むように配置してもよい。また、位置表示灯２１、２２は、第１操作部１２及び第２操作部１３の操作者がプッシュ操作を行う箇所に設けることで、例えば、図３に示す取付部１２ａに対して反対側の位置であって第１入力部３２及び第２入力部３３（図３には図示しない）の近傍に設けることができる。この場合、操作者が位置表示灯２１、２２の光を視認して、直接第１操作部１２又は第２操作部１３を操作できる。
【００３２】
また、操作者が第１操作部１２又は第２操作部１３を操作するために照明スイッチ装置１０に近づいたときに、人感センサ２４が操作者の接近を検出して位置表示灯２１、２２が点灯する。操作者が照明スイッチ装置１０の操作を行っていない場合には、位置表示灯２１、２２は消灯する。したがって、本実施形態の照明スイッチ装置１０は、操作時のみ位置表示灯２１、２２が点灯するため、位置表示灯２１、２２の消費電力が低減する。また、夜間においても、位置表示灯２１、２２は、操作部の操作を行う際に点灯し、それ以外の期間は消灯する。したがって、本実施形態の照明スイッチ装置１０は、位置表示灯２１、２２の光が就寝時の眠りの妨げとなることを防止できる。
【００３３】
照明スイッチ装置１０は、人感センサ２４が操作者を検出した場合に、位置表示灯２１、２２を点灯させるとともに、振動発生部２９、３０を振動させる。これにより、操作者は、第１操作部１２及び第２操作部１３を視覚で確認できない場合であっても、振動発生部２９、３０の振動により、触覚で第１操作部１２及び第２操作部１３の位置を認識することができる。
【００３４】
なお、位置表示灯２１、２２は、第１操作部１２及び第２操作部１３にそれぞれ１つずつ配置されており、人感センサ２４が操作者を検出した場合、２つの位置表示灯２１、２２の両方が同時に点灯する。また、２つの振動発生部２９、３０についても、人感センサ２４が操作者を検出した場合、両方が駆動する。
【００３５】
図４は、第１の実施形態に係る照明スイッチ装置の機能構成を示すブロック図である。図４に示すように、本実施形態の照明スイッチ装置１０は、第１照明器具１０２、第２照明器具１０３の点灯、消灯、又は調光等を制御するために用いられる。図４に示すように、照明スイッチ装置１０は、制御部５０を有する。制御部５０は、第１照明器具１０２、第２照明器具１０３、位置表示灯２１、２２、振動発生部２９、３０を制御する。制御部５０は、電源回路５８から所定の電圧が供給される。電源回路５８は、ＡＣ／ＤＣ変換部５８ａと、定電圧回路５８ｂとを有する。ＡＣ／ＤＣ変換部５８ａは、商用交流電源から入力される交流電圧を直流に変換する。定電圧回路５８ｂは、ＡＣ／ＤＣ変換部５８ａから供給された電圧を降圧して、所定の電圧を制御部５０に入力する。
【００３６】
操作者が第１操作部１２を押し込んで操作すると、第１操作部１２の裏面側に配置された第１入力部３２が第１操作部１２によって押圧され、第１入力部３２の接点がオンとなる。これにより第１入力部３２の検出信号が制御部５０に入力される。制御部５０は、第１入力部３２の検出信号に応じて、第１出力回路５２に制御信号を出力する。第１出力回路５２は、制御信号に応じた電圧レベルの信号を出力して、第１照明器具１０２を点灯させる。また、第１操作部１２の操作に応じて、第１照明器具１０２の調光、消灯が可能である。例えば、操作者が第１操作部１２を複数回プッシュ操作したときに、第１入力部３２は、操作回数に応じて異なる検出信号を制御部５０に出力する。
【００３７】
操作者が第２操作部１３を操作した場合も同様に、第２入力部３３の検出信号が制御部５０に入力され、制御部５０からの制御信号に応じて第２出力回路５３が出力信号を出力し、第２照明器具１０３の点灯、消灯、又は調光が実行される。
【００３８】
操作者が第１操作部１２又は第２操作部１３の操作を行う際に、人感センサ２４は、操作者の接近を検出し、検出信号を制御部５０に入力する。制御部５０は、人感センサ２４からの検出信号に応じて、第１駆動回路５５に制御信号を出力する。第１駆動回路５５は、制御部５０からの制御信号に応じて位置表示灯２１、２２を点灯する。同時に制御部５０は、人感センサ２４からの検出信号に応じて、第２駆動回路５６に制御信号を出力する。第２駆動回路５６は、制御部５０からの制御信号に応じて振動発生部２９、３０を動作させ振動を発生させる。
【００３９】
位置表示灯２１、２２が点灯するとともに振動発生部２９、３０が動作した後、操作者は、第１操作部１２又は第２操作部１３を操作して第１照明器具１０２又は第２照明器具１０３の点灯、消灯、又は調光を行う。その後、制御部５０は、位置表示灯２１、２２及び振動発生部２９、３０の動作を停止させる。若しくは、制御部５０は、タイマーを内蔵しており、位置表示灯２１、２２の点灯及び振動発生部２９、３０の動作が開始しても第１操作部１２又は第２操作部１３の操作が実行されない場合には、所定の時間が経過したときに位置表示灯２１、２２の点灯及び振動発生部２９、３０の動作を停止させる。
【００４０】
図５は、変形例の照明スイッチ装置の正面図である。図５に示すように、照明スイッチ装置１０は、さらに、照明スイッチ装置１０の周囲の照度を検出する照度センサ２８を有することも可能である。制御部５０は、照度センサ２８からの検出信号に基づいて、照度が明るい場合には、位置表示灯２１、２２の消灯の状態を維持し、照度が暗い場合に、位置表示灯２１、２２の制御を実行する。照明スイッチ装置１０の周囲の照度が明るく、操作者が照明スイッチ装置１０を視認できる場合には位置表示灯２１、２２が消灯するため、消費電力が削減する。
【００４１】
以上のように、本実施形態の照明スイッチ装置１０は、第１照明器具１０２及び第２照明器具１０３の点灯と消灯との切り換え操作を行うための第１操作部１２及び第２操作部１３と、第１操作部１２及び第２操作部１３の位置を視認させる位置表示灯２１、２２と、位置表示灯２１、２２の点灯及び消灯を制御する制御部５０と、操作者の接近を検出する人感センサ２４とを有する。制御部５０は、人感センサ２４が操作者の接近を検出した場合に、位置表示灯２１、２２を点灯させる。また、照明スイッチ装置１０は、振動発生部２９、３０を有し、人感センサ２４が操作者の接近を検出した場合に、振動発生部２９、３０に振動を発生させる。
【００４２】
これにより、夜間等、室内が暗く照明スイッチ装置１０の位置を確認しにくい場合であっても、操作者は、位置表示灯２１、２２の光により、操作する第１操作部１２及び第２操作部１３の位置を確実に視認することができる。又は、操作者は、振動発生部２９、３０の振動により第１操作部１２及び第２操作部１３の位置を触覚で認識することができる。
【００４３】
また、本実施形態の照明スイッチ装置１０は、操作者が第１操作部１２又は第２操作部１３を操作するために照明スイッチ装置１０に近づいたとき、人感センサ２４が操作者の接近を検出して位置表示灯２１、２２が点灯する。そして、照明スイッチ装置１０の操作を行っていない場合には、位置表示灯２１、２２は消灯する。したがって、本実施形態の照明スイッチ装置１０は、位置表示灯２１、２２の消費電力を低減させることができる。また、夜間においても、位置表示灯２１、２２は照明スイッチ装置１０の操作を行う際に点灯し、それ以外の期間は消灯する。したがって、本実施形態の照明スイッチ装置１０は、位置表示灯２１、２２の光が就寝時の眠りの妨げとなることを防止できる。
【００４４】
＜第２の実施形態＞
図６は、第２の実施形態に係る照明スイッチ装置の正面図である。図７は、第２の実施形態に係る照明スイッチ装置の側面図である。図８は、図６に示すＶＩＩ−ＶＩＩ線で切断したときの照明スイッチ装置の断面構造を模式的に示す断面図である。図９は、第２の実施形態に係る照明スイッチ装置の機能構成を示すブロック図である。
【００４５】
図６に示すように、第２の実施形態の照明スイッチ装置１１は、操作者の接近を検出する検出部として第１静電センサ２６及び第２静電センサ２７を有する。第１静電センサ２６及び第２静電センサ２７は、操作者の手や指が第１静電センサ２６及び第２静電センサ２７の表面に接触し、又は接触せずに近づいたことを、静電容量の変化により検出する。第１静電センサ２６及び第２静電センサ２７は特に限定されるものではなく、広く周知のものを用いることができる。
【００４６】
第１静電センサ２６及び第２静電センサ２７は、例えば樹脂製の基材と、基材の表面に設けられた複数の電極とを有する。複数の電極間に静電容量が形成され、操作者の手や指が接触し、又は接近したときの静電容量の変化を検出する。また、第１静電センサ２６及び第２静電センサ２７は、フィルム状の樹脂基材を用いることで変形が容易となり、曲面などに貼り合わせて用いることができる。
【００４７】
図６及び図８に示すように、本実施形態において、第１静電センサ２６は、第１操作部１２及び第２操作部１３の裏面に貼り合わされる。また、図８に示すように、第２静電センサ２７は、枠部１５の裏面の曲面に沿って貼り合わされる。このように、第１静電センサ２６及び第２静電センサ２７を設けることにより、第１静電センサ２６は、第１操作部１２及び第２操作部１３の正面方向の操作者の接近を検出し、第２静電センサ２７は、第１操作部１２及び第２操作部１３の左右方向における操作者の接近を検出することが可能となる。したがって、操作者の接近の検出範囲が壁１００に沿った方向に拡大する。例えば、操作者が壁１００に沿って手や指を移動させた場合に、第２静電センサ２７は良好に検出することができる。
【００４８】
なお、第１静電センサ２６及び第２静電センサ２７の検出感度は、図７に示す感度調整部１７により調整可能である。これにより、検出範囲を拡大して、操作者の手や指が第１操作部１２及び第２操作部１３の表面に接触せず、所定の距離に近づいたときに、第１静電センサ２６及び第２静電センサ２７は操作者の接近を検出することができる。第１静電センサ２６及び第２静電センサ２７は、例えば、第１操作部１２及び第２操作部１３の表面から１０ｃｍ程度の範囲で操作者の接近を検出可能である。
【００４９】
本実施形態によれば、第１静電センサ２６及び第２静電センサ２７は、静電容量変化により操作者の接近を検出する。そのため、赤外線センサや超音波センサ等を用いた人感センサ２４に比べて、第１静電センサ２６及び第２静電センサ２７は、検出範囲が限定されるが、操作者以外の人や物の接近について誤って検出する誤検出が抑制される。
【００５０】
図９に示すように、第１静電センサ２６が操作者の接近を検出すると、検出信号が制御部５０に出力される。同様に、第２静電センサ２７が操作者の接近を検出すると、検出信号が制御部５０に出力される。制御部５０は、第１静電センサ２６からの検出信号、又は第２静電センサ２７からの検出信号のいずれかが入力されたときに、第１駆動回路５５を駆動させて位置表示灯２１、２２を点灯させるとともに、第２駆動回路５６を駆動させて振動発生部２９、３０を振動させる。これにより、夜間等、室内が暗く照明スイッチ装置１の位置を確認しにくい場合であっても、操作者は、位置表示灯２１、２２の光により、操作する第１操作部１２及び第２操作部１３の位置を確実に視認することができる。又は、操作者は、振動発生部２９、３０の振動により第１操作部１２及び第２操作部１３の位置を触覚で認識することができる。
【００５１】
第２の実施形態の照明スイッチ装置１１においても、操作者が第１操作部１２又は第２操作部１３を操作するために照明スイッチ装置１１に近づいたとき、第１静電センサ２６又は第２静電センサ２７が操作者の接近を検出して位置表示灯２１、２２が点灯する。そして、照明スイッチ装置１１の操作を行っていない場合には、位置表示灯２１、２２は消灯する。したがって、本実施形態の照明スイッチ装置１１は、位置表示灯２１、２２の消費電力を低減させることができる。また、夜間においても、位置表示灯２１、２２は照明スイッチ装置１１の操作を行う際に点灯し、それ以外の期間は消灯する。したがって、本実施形態の照明スイッチ装置１１は、位置表示灯２１、２２の光が就寝時の眠りの妨げとなることを防止できる。
【００５２】
なお、第１の実施形態及び第２の実施形態の照明スイッチ装置１０、１１は、いずれも位置表示灯２１、２２と、振動発生部２９、３０とを有しているが、これに限定されるものではない。例えば、位置表示灯２１、２２のみを有する照明スイッチ装置であってもよい。
【００５３】
＜照明スイッチ装置の制御方法＞
図１０は、第１の実施形態の照明スイッチ装置の制御方法を説明するフローチャートである。まず、制御部５０は、第１照明器具１０２が消灯しているかどうかを判断する（ステップＳＴ１）。第１照明器具１０２が点灯している場合（ステップＳＴ１、Ｎｏ）、初期状態で待機する。第１照明器具１０２は、例えば室内の蛍光灯やＬＥＤ照明である。第１照明器具１０２が点灯している場合、操作者が位置表示灯２１、２２や振動発生部２９、３０によらず照明スイッチ装置１０を認識することができる。よって、制御部５０は、位置表示灯２１、２２の消灯の状態を維持し、また、振動発生部２９、３０の停止の状態を維持する。これにより、位置表示灯２１、２２、及び振動発生部２９、３０の動作回数が低減し、消費電力が削減される。
【００５４】
第１照明器具１０２が消灯している場合（ステップＳＴ１、Ｙｅｓ）、制御部５０は、人感センサ２４からの検出信号の入力の有無を判断する（ステップＳＴ２）。人感センサ２４の検出信号の入力がない場合（ステップＳＴ２、Ｎｏ）、制御部５０は検出信号の入力待ちとなる。
【００５５】
人感センサ２４の検出信号が制御部５０に入力された場合（ステップＳＴ２、Ｙｅｓ）、制御部５０は位置表示灯２１、２２を点灯し（ステップＳＴ３）、振動発生部２９、３０を振動させる（ステップＳＴ４）。
【００５６】
次に、制御部５０は第１入力部３２からの検出信号が入力されたかどうかを判断する（ステップＳＴ５）。操作者が第１操作部１２をプッシュ操作すると、第１入力部３２の接点がＯＮとなり、第１入力部３２からの検出信号が制御部５０に入力される（ステップＳＴ５、Ｙｅｓ）。制御部５０は、第１入力部３２からの検出信号に応じて第１照明器具１０２を点灯させる（ステップＳＴ６）。そして、制御部５０は、位置表示灯２１、２２を消灯し（ステップＳＴ１２）、振動発生部２９、３０を停止して（ステップＳＴ１３）、終了する。
【００５７】
第１入力部３２からの検出信号が制御部５０に入力されない場合（ステップＳＴ５、Ｎｏ）、制御部５０は第２入力部３３からの検出信号が入力されたかどうかを判断する（ステップＳＴ７）。操作者が第２操作部１３をプッシュ操作すると、第２入力部３３の接点がＯＮとなり、第２入力部３３からの検出信号が制御部５０に入力される（ステップＳＴ７、Ｙｅｓ）。制御部５０は、第２入力部３３からの検出信号に応じて第２照明器具１０３を点灯させる（ステップＳＴ８）。そして、制御部５０は、位置表示灯２１、２２を消灯し（ステップＳＴ１２）、振動発生部２９、３０を停止して（ステップＳＴ１３）、終了する。
【００５８】
第１入力部３２からの検出信号及び第２入力部３３からの検出信号のいずれも制御部５０に入力されない場合（ステップＳＴ７、Ｎｏ）、制御部５０は、ステップＳＴ３で位置表示灯２１、２２を点灯した後、所定の時間が経過したかどうかを判断する（ステップＳＴ９）。制御部５０は、内蔵するタイマーからの信号により、又は、制御部５０とは別に設けたタイマーからの信号により、位置表示灯２１、２２を点灯してからの時間を判断する。所定の時間は、操作者が適宜設定することが可能であり、例えば１０秒から３０秒程度とすることができる。
【００５９】
所定の時間が経過していない場合（ステップＳＴ９、Ｎｏ）、制御部５０は、第１入力部３２又は第２入力部３３からの検出信号の入力待ちとなる。所定の時間が経過した場合（ステップＳＴ９、Ｙｅｓ）は、操作者が照明スイッチ装置１０の操作のために接近したのではないと判断して、位置表示灯２１、２２を消灯し（ステップＳＴ１０）、振動発生部２９、３０を停止する（ステップＳＴ１１）。その後、ステップＳＴ１に戻り、制御部５０は、第１照明器具１０２の消灯を確認し、人感センサ２４からの検出信号の入力待ちとなる。
【００６０】
以上説明した方法により照明スイッチ装置１０を制御することにより、操作者が第１操作部１２又は第２操作部１３を操作するために照明スイッチ装置１０に近づいたとき、人感センサ２４が操作者の接近を検出して位置表示灯２１、２２が点灯する。そして、照明スイッチ装置１０の操作を行っていない場合には、位置表示灯２１、２２は消灯する。したがって、本実施形態の照明スイッチ装置１０は、消費電力を低減させることができる。また、夜間においても、位置表示灯２１、２２は照明スイッチ装置１０の操作を行う際に点灯し、それ以外の期間は消灯する。したがって、本実施形態の照明スイッチ装置１０は、位置表示灯２１、２２の光が就寝時の眠りの妨げとなることを防止できる。
【００６１】
図１０に示すフローチャートは、第１の実施形態の照明スイッチ装置１０の制御方法について示しているが、第２の実施形態の照明スイッチ装置１１についても同様の方法で制御される。この場合、図１０に示すステップＳＴ２において、制御部５０は、第１静電センサ２６又は第２静電センサ２７からの検出信号の入力の有無を判断する。そして、制御部５０は、第１静電センサ２６又は第２静電センサ２７からの検出信号に応じてステップＳＴ３〜ステップＳＴ１３を実行する。
【００６２】
なお、本実施形態の照明スイッチ装置１０の制御方法は、図１０に示すフローチャートに限定するものではなく、適宜変更することができる。例えば、図５に示す変形例の照明スイッチ装置１０は、照明スイッチ装置１０の近傍の照度を検出する照度センサ２８を有する。
【００６３】
この場合、図１０に示すステップＳＴ１では、照度センサ２８からの検出信号が制御部５０に入力される。制御部５０は、照度センサ２８からの検出信号に基づいて照明スイッチ装置１０の周囲の明るさの情報を取得する。そして、制御部５０は、照度が所定の値以上である場合、すなわち、照明スイッチ装置１０の周囲が明るく操作者が第１操作部１２及び第２操作部１３を視認できる場合には、位置表示灯２１、２２の消灯の状態を維持する。また、照度が所定の値より小さい場合、すなわち、照明スイッチ装置１０の周囲が暗く操作者が第１操作部１２及び第２操作部１３を視認できない場合には、ステップＳＴ２〜ステップＳＴ１３に示す位置表示灯２１、２２の制御を実行する。このような態様であっても、照明スイッチ装置１０の周囲の照度が明るく、操作者が照明スイッチ装置１０を視認できる場合には位置表示灯２１、２２が消灯の状態を維持するため、消費電力が削減される。
【００６４】
また、図１０に示すフローチャートでは、位置表示灯２１、２２が点灯するとともに、振動発生部２９、３０が振動するが、これに限定されない。例えば、照明スイッチ装置１０が振動発生部２９、３０を有さず、人感センサ２４が操作者を検出した場合に位置表示灯２１、２２が点灯するのみであってもよい。この場合、図１０に示すフローチャートは、ステップＳＴ４、ＳＴ１１、ＳＴ１３を省略したものとなる。この場合であっても、操作者は位置表示灯２１、２２の光を視認して、第１操作部１２及び第２操作部１３の位置を確認することができる。
【符号の説明】
【００６５】
１０、１１  照明スイッチ装置
１２  第１操作部
１３  第２操作部
１２ａ  取付部
１５  枠部
１６  筐体
１７  感度調整部
１８  基板
２１、２２  位置表示灯
２４  人感センサ
２４ａ  検出範囲
２６  第１静電センサ
２７  第２静電センサ
２８  照度センサ
２９、３０  振動発生部
３２  第１入力部
３３  第２入力部
５０  制御部
５２  第１出力回路
５３  第２出力回路
５５  第１駆動回路
５６  第２駆動回路
１００  壁
１０２  第１照明器具
１０３  第２照明器具
【図１】
2016084172.tif 000003
【図２】
2016084172.tif 000004
【図３】
2016084172.tif 000005
【図４】
2016084172.tif 000006
【図５】
2016084172.tif 000007
【図６】
2016084172.tif 000008
【図７】
2016084172.tif 000009
【図８】
2016084172.tif 000010
【図９】
2016084172.tif 000011
【図１０】
2016084172.tif 000012
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
屋内の壁に取付けられ、照明器具の制御を行うための照明スイッチ装置であって、
前記照明器具の点灯と消灯との切り換え操作を行うための操作部と、
前記操作部の位置を視認させる位置表示灯と、
前記位置表示灯の点灯及び消灯を制御する制御部と、
操作者の接近を検出する検出部とを有し、
前記検出部は静電センサであり、
前記制御部は、前記検出部が操作者の接近を検出した場合に、前記位置表示灯を点灯する照明スイッチ装置。
【請求項２】
前記静電センサは、前記操作部に設けられている請求項１に記載の照明スイッチ装置。
【請求項３】
前記操作部を囲む枠部を有し、
前記静電センサは、前記枠部に設けられている請求項１又は請求項２に記載の照明スイッチ装置。
【請求項４】
前記操作部を振動させる振動発生部を有し、
前記制御部は、前記検出部が操作者の接近を検出した場合に、前記振動発生部を振動させる請求項１から請求項３のいずれか１項に記載の照明スイッチ装置。
【請求項５】
前記制御部は、前記照明器具が消灯の状態の場合、前記検出部が操作者の接近を検出した検出信号により前記位置表示灯を点灯する請求項１から請求項４のいずれか１項に記載の照明スイッチ装置。
【請求項６】
前記制御部は、前記照明器具が点灯の状態の場合、前記位置表示灯の消灯状態を維持する請求項１から請求項５のいずれか１項に記載の照明スイッチ装置。
【請求項７】
前記制御部は、前記位置表示灯を点灯した後、所定の時間が経過した後に前記位置表示灯を消灯する請求項１から請求項６のいずれか１項に記載の照明スイッチ装置。
【請求項８】
照明スイッチ装置の周囲の照度を検出する照度センサを有し、
前記制御部は、前記照度センサからの検出信号に基づいて、照度が所定の値以上の場合に、前記位置表示灯の消灯の状態を維持し、照度が所定の値より小さい場合に、前記位置表示灯の制御を実行する請求項１から請求項４のいずれか１項に記載の照明スイッチ装置。
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
屋内の壁に取付けられ、照明器具の制御を行うための照明スイッチ装置であって、
前記照明器具の点灯と消灯との切り換え操作を行うための操作部と、
前記操作部を囲む枠部と、
前記操作部の位置を視認させる位置表示灯と、
前記位置表示灯の点灯及び消灯を制御する制御部と、
操作者の接近を検出する検出部とを有し、
前記検出部は静電センサであり、
前記静電センサは、前記枠部の一辺に沿って延びており、
前記制御部は、前記検出部が操作者の接近を検出した場合に、前記位置表示灯を点灯する照明スイッチ装置。
【請求項２】
前記静電センサは、複数設けられ、前記枠部と前記操作部にそれぞれ設けられている請求項１に記載の照明スイッチ装置。
【請求項３】
前記枠部は、前記壁から突出する曲面を有し、
前記静電センサは、前記曲面に沿って設けられている請求項１または請求項２に記載の照明スイッチ装置。
【請求項４】
前記操作部を振動させる振動発生部を有し、
前記制御部は、前記検出部が操作者の接近を検出した場合に、前記振動発生部を振動させる請求項１から請求項３のいずれか１項に記載の照明スイッチ装置。
【請求項５】
前記制御部は、前記照明器具が消灯の状態の場合、前記検出部が操作者の接近を検出した検出信号により前記位置表示灯を点灯する請求項１から請求項４のいずれか１項に記載の照明スイッチ装置。
【請求項６】
前記制御部は、前記照明器具が点灯の状態の場合、前記位置表示灯の消灯状態を維持する請求項１から請求項５のいずれか１項に記載の照明スイッチ装置。
【請求項７】
前記制御部は、前記位置表示灯を点灯した後、所定の時間が経過した後に前記位置表示灯を消灯する請求項１から請求項６のいずれか１項に記載の照明スイッチ装置。
【請求項８】
照明スイッチ装置の周囲の照度を検出する照度センサを有し、
前記制御部は、前記照度センサからの検出信号に基づいて、照度が所定の値以上の場合に、前記位置表示灯の消灯の状態を維持し、照度が所定の値より小さい場合に、前記位置表示灯の制御を実行する請求項１から請求項４のいずれか１項に記載の照明スイッチ装置。
【国際調査報告】
2016084172.tif 000013
2016084172.tif 000014
2016084172.tif 000015
2016084172.tif 000016